(57)【要約】【課題】給電装置において余分に消費される電力を抑えることができるようにする。【解決手段】給電装置から非接触により供給される電力に応じて、電池を充電する電子機器であって、前記給電装置から所定のデータを受信した場合に前記所定のデータに対応する応答データを前記給電装置に送信する通信手段と、前記給電装置から電力が供給されている場合に、前記給電装置から供給される電力に応じて、前記電池を充電するように制御する制御手段とを有し、前記給電装置から電力から供給されている状態で前記検出手段により前記電池が充電できないと検出された場合に、前記制御手段は、前記給電装置から前記所定のデータを受信したとしても、前記応答データを前記給電装置に送信しないように前記通信手段を制御する。【選択図】図１
2012070553.tif 000002
【特許請求の範囲】
【請求項１】
給電装置から非接触により供給される電力に応じて、着脱可能な電池を充電する電子機器であって、
前記電池が充電できるか否かを検出する検出手段と、
前記給電装置から所定のデータを受信した場合に前記所定のデータに対応する応答データを前記給電装置に送信する通信手段と、
前記給電装置から電力が供給されている場合に、前記給電装置から供給される電力に応じて、前記電池を充電するように制御する制御手段とを有し、
前記給電装置から電力から供給されている状態で前記検出手段により前記電池が充電できないと検出された場合に、前記制御手段は、前記給電装置から前記所定のデータを受信したとしても、前記応答データを前記給電装置に送信しないように前記通信手段を制御することを特徴とする電子機器。
【請求項２】
前記所定のデータは、前記給電装置が前記電子機器に前記電池を充電させるための電力を前記電子機器に供給するか否かを判定するためのデータであることを特徴とする請求項１に記載の電子機器。
【請求項３】
前記電池が満充電でない場合に、前記給電装置から前記所定のデータを受信した場合、前記制御手段は、前記応答データを前記給電装置に送信するように前記通信手段を制御することを特徴とする請求項１または２に記載の電子機器。
【請求項４】
前記電池が満充電である場合に、前記給電装置から前記所定のデータを受信した場合、前記制御手段は、前記応答データを送信しないように前記通信手段を制御することによって、前記給電装置からの電力を供給されないようにすることを特徴とする請求項１から３のいずれか１項に記載の電子機器。
【請求項５】
前記給電装置は、前記所定のデータを前記電子機器に送信したことにより、前記応答データを受信したときに、前記電池を前記電子機器に充電させるための電力を前記電子機器に供給する給電装置であることを特徴とする請求項１から４のいずれか１項に記載の電子機器。
【発明の詳細な説明】
【技術分野】
【０００１】
本発明は電池を充電する電子機器に関する。
【背景技術】
【０００２】
従来、充電可能な電池が装着されたデジタルスチルカメラや携帯電話等の電子機器に、給電装置がコネクタ等で接続することなく非接触によって電力を供給する非接触給電システムが知られている。このような非接触給電システムにおいて、給電装置は、１次コイルを有し、電子機器は、２次コイルを有する。非接触給電システムにおいて、給電装置は、給電装置の１次コイルに発生する磁束を変化させることによって、電子機器の２次コイルに誘導起電力を発生させる。給電装置の１次コイルに発生する磁束の変化によって２次コイルに発生した誘導起電力を用いて電子機器が電池を充電することが知られている（例えば、特許文献１参照）。
【先行技術文献】
【特許文献】
【０００３】
【特許文献１】特開平１１−９８７０６号公報
【発明の概要】
【発明が解決しようとする課題】
【０００４】
従来、給電装置が電子機器に電力の供給を開始する場合、給電装置は、電子機器が給電装置によって給電可能な装置であることを確認するために、給電装置及び電子機器は互いに通信の認証を行っていた。しかしながら、電子機器に装着される電池が満充電であると電子機器が判定し、電子機器が電池への充電を完了させた場合であっても、給電装置は、電子機器との通信の認証を行っていた。給電装置は、電子機器に装着される電池が満充電である場合であっても、通信の認証が行える場合、電子機器に対して電力を供給していた。このように、給電装置は、電子機器に装着される電池が満充電である場合であっても、電子機器との通信の認証を行い、電子機器への電力供給を継続して行うので、余分な電力を消費していた。
【０００５】
そこで、本発明は、電子機器において、電池の充電が行われていない場合に、給電装置との通信の認証を行わないようにすることを目的としている。
【課題を解決するための手段】
【０００６】
本発明に係る電子機器は、給電装置から非接触により供給される電力に応じて、着脱可能な電池を充電する電子機器であって、前記電池が充電できるか否かを検出する検出手段と、前記給電装置から所定のデータを受信した場合に前記所定のデータに対応する応答データを前記給電装置に送信する通信手段と、前記給電装置から電力が供給されている場合に、前記給電装置から供給される電力に応じて、前記電池を充電するように制御する制御手段とを有し、前記給電装置から電力から供給されている状態で前記検出手段により前記電池が充電できないと検出された場合に、前記制御手段は、前記給電装置から前記所定のデータを受信したとしても、前記応答データを前記給電装置に送信しないように前記通信手段を制御することを特徴とする。
【発明の効果】
【０００７】
本発明によれば、電子機器において、電池の充電が行われていない場合に給電装置と通信の認証を行わないようにすることができる。
【図面の簡単な説明】
【０００８】
【図１】実施形態１に係る給電装置１００及び電子機器１５０の構成例を示すブロック図である。
【図２】給電装置１００によって行われる給電処理の一例を示すフローチャートである。
【図３】電子機器１５０によって行われる充電処理の一例を示すフローチャートである。
【発明を実施するための形態】
【０００９】
以下、本発明の実施形態１について図面を参照しながら説明する。
図１は、実施形態１に係る給電装置１００及び電子機器１５０の構成例を示すブロック図である。
図１に示される給電システムは、給電装置１００と電子機器１５０と有する。給電装置１００は、電子機器１５０に対して電力を供給する装置である。電子機器１５０は、給電装置１００から電力を受電し、給電装置１００から受電した電力により、バッテリ１８０を充電する装置である。給電装置１００は、電磁誘導により電子機器１５０と非接触の状態で電子機器１５０に対して電力を供給する。バッテリ１８０は充電可能な電池であり、電子機器１５０に対して着脱可能である。バッテリ１８０は、電子機器１５０に装着されている場合、電子機器１５０によって給電装置１００から受電した電力を用いて充電される。
【００１０】
なお、実施形態１に係る給電システムは、給電装置１００と電子機器１５０とが電磁誘導により発生する誘導起電力を利用して充電を行うもの以外のものであっても良い。実施形態１に係る給電システムは、給電装置１００が電磁誘導により発生する電力を電子機器１５０に供給し、電子機器１５０が、給電装置１００から供給される電力によって、装着されているバッテリ１８０を充電するものに限られないものとする。また、給電装置１００は、非接触で電子機器１５０に電力を供給するようしたが、無線で電子機器１５０に電力を供給するようにしてもよい。また、電子機器１５０は、非接触で給電装置１００から電力を受信するようにしたが、無線で給電装置１００から電力を受信するようにしてもよい。
【００１１】
なお、給電装置１００は例えば、給電ステーションのようなものであればよい。また、電子機器１５０は、デジタルスチルカメラ、携帯電話、デジタルビデオカメラや音楽プレイヤ等の二次電池によって供給される電力によって動作する電子機器であれば良いものとする。
【００１２】
実施形態１に係る給電装置１００は、給電装置１００と電子機器１５０との距離が所定の範囲内に存在する場合、電子機器１５０に電力を送信することによって電子機器１５０に装着されているバッテリ１８０を充電することができる。所定の範囲とは、電子機器１５０が給電装置１００の１次コイル１０３に発生した磁束によって２次コイル１５１に誘導起電力を発生させることができる範囲である。給電装置１００と電子機器１５０との距離が所定の範囲内に存在しない場合、電子機器１５０の２次コイル１５１には、誘導起電力が発生しないので、電子機器１５０は装着されているバッテリ１８０を充電することができない。
【００１３】
給電装置１００は、ＡＣ−ＤＣコンバータ１０１、制御部１０２、１次コイル１０３及び通信部１０４を有する。
ＡＣ−ＤＣコンバータ１０１は、不図示の交流電源から供給された電力整流し、交流電圧を直流電圧に変換する。
制御部１０２は、給電装置１００全体の処理を制御する。また、制御部１０２は、ＡＣ−ＤＣコンバータ１０１で変換された直流電圧によって、１次コイル１０３に磁束を発生させるように制御する。また、制御部１０２は、ＡＣ−ＤＣコンバータ１０１により交流電圧から変換される直流電圧の目標値を決定することができ、直流電圧の目標値を変更することにより、１次コイル１０３に発生する磁束を変化させることができる。
【００１４】
通信部１０４は、電子機器１５０と無線通信を行う。通信部１０４は、例えばＢｌｕｅｔｏｏｔｈ（登録商標）や無線ＬＡＮ（Ｌｏｃａｌ  Ａｒｅａ  Ｎｅｔｗｏｒｋ）、Ｗｉ−Ｆｉ（ｗｉｒｅｌｅｓｓ  ｆｉｄｅｌｉｔｙ）などの無線方式により電子機器１５０と通信を行う。また、通信部１０４は、ＩＥＥＥ８０２．１１ａ，ｂ，ｇ等の無線方式により電子機器１５０と通信を行っても良い。また、通信部１０４は、ＡＳＫ（Ａｍｐｌｉｔｕｄｅ  Ｓｈｉｆｔ  Ｋｅｙｉｎｇ）変調方式を用いて電子機器１５０と通信を行ってもよいものとする。
【００１５】
また、給電装置１００は、不図示のメモリを有する。不図示のメモリには、給電装置１００の各部の動作プログラム及び各部の動作に必要なパラメータ等の情報が記憶される。また、不図示のメモリには、給電装置１００の識別情報、電子機器１５０から通信部１０４が取得した電子機器１５０に関する情報及び電子機器１５０から取得した充電に関する情報等が記憶される。不図示のメモリは不揮発性メモリであっても、ハードディスクドライブやメモリカードのようなものであっても良い。
【００１６】
さらに、給電装置１００は、ユーザからの操作を受け付けるための操作部をさらに有していても良い。また、給電装置１００は、電子機器１５０への給電の状態や、電子機器１５０から通信部１０４により取得した電子機器１５０に関する情報等を表示するための表示部をさらに有していても良い。
【００１７】
電子機器１５０は、２次コイル１５１、通信部１５２、整流回路１５３、制御部１５４及び充電部１５５を有する。
給電装置１００の１次コイル１０３及び電子機器１５０の２次コイル１５１は互いに非接触であるが、コイルの巻回面が互いに並行になるように１次コイル１０３及び２次コイル１５１が配置されている。この配置により、電磁誘導によって２次コイル１５１に誘導起電力が発生し、１次コイル１０３から２次コイル１５１に電力を送ることができる。整流回路１５３は、２次コイル１５１に発生した起電力を整流し、整流した電力を制御部１５４に供給する。
【００１８】
制御部１５４は、電子機器１５０全体の処理を制御する。また、制御部１５４は、整流回路１５３から電力を供給された場合、バッテリ１８０が装着されているか否かを判定する。バッテリ１８０が電子機器１５０に装着されている場合、制御部１５４は、整流回路１５３から供給された電力をバッテリ１８０に供給し、バッテリ１８０に対して充電を行うように充電部１５５を制御する。
【００１９】
通信部１５２は、給電装置１００と無線通信を行う。通信部１５２は、例えばＢｌｕｅｔｏｏｔｈや無線ＬＡＮ、Ｗｉ−Ｆｉなどの無線方式により電子機器１５０と通信を行う。また、通信部１５２は、ＩＥＥＥ８０２．１１ａ，ｂ，ｇ等の無線方式により給電装置１００と通信を行っても良い。また、通信部１５２は、ＡＳＫ変調方式を用いて給電装置１００と通信を行ってもよいものとする。
【００２０】
充電部１５５は、バッテリ１８０の充電を制御する。また、充電部１５５は、バッテリ１８０の残りの容量である残容量等を検出することもできる。
【００２１】
また、電子機器１５０は、不図示のメモリを有する。不図示のメモリには、電子機器１５０の各部の動作プログラム及び各部の動作に必要なパラメータ等の情報が記憶される。また、不図示のメモリには、電子機器１５０の識別情報、電子機器１５０の能力情報、給電装置１００から通信部１５２が取得した給電装置１００に関する情報及び給電装置１００から取得した給電に関する情報等が記憶される。電子機器１５０の識別情報とは、例えば、電子機器１５０の識別ＩＤや、電子機器１５０の製品名や、電子機器１５０の製造者名等である。電子機器１５０の能力情報とは、電子機器１５０がバッテリ１８０を充電するための能力を示す情報であり、例えば、電子機器１５０がバッテリ１８０を充電するために必要な電力を示す情報等である。
不図示のメモリは、不揮発性メモリであっても、ハードディスクドライブやメモリカードのようなものであっても良い。
【００２２】
なお、電子機器１５０は、２次コイル１５１、通信部１５２、整流回路１５３、制御部１５４、充電部１５５及び不図示のメモリ以外の構成をさらに有するものであっても良い。例えば、電子機器１５０が携帯電話である場合、電子機器１５０はさらに、電話機能を実現するための手段をさらに有するものとする。また、例えば、電子機器１５０がデジタルスチルカメラやデジタルビデオカメラである場合、電子機器１５０はさらに静止画像や動画像を撮影するための撮像手段や撮影した静止画像や動画像を表示するための表示手段をさらに有するものとする。
【００２３】
なお、バッテリ１８０は、充電可能な電池であればよく、リチウムイオン電池等の非水溶媒系二次電池やニッケル水素（Ｎｉ−Ｈ）電池、リチウム電池等の電池であってもよい。また、バッテリ１８０は、電子機器１５０に着脱可能な電池である。バッテリ１８０は、電子機器１５０に装着されている場合、整流回路１５３で整流された電力によって充電される。また、図１は、給電装置１００が電子機器１５０に電磁誘導によって非接触で給電を行う構成であるが、給電装置１００が電子機器１５０に磁界共鳴や電界共鳴によって非接触で給電を行う構成であっても良い。
【００２４】
図２は、実施形態１に係る給電装置１００によって行われる給電処理の一例を示すフローチャートである。なお、図２に示す給電処理は、制御部１０２が給電装置１００の不図示のメモリに記録されているプログラムを実行することによって行われる。なお、実施形態１において、図２に示される給電処理が制御部１０２によって行われる場合、給電装置１００と電子機器１５０との距離は、電子機器１５０が給電装置１００から供給される電力を受信できる所定の範囲内に存在するものとする。
【００２５】
給電装置１００の動作モードが給電を行うモードになるようにユーザによって給電装置１００が操作された場合、Ｓ２０１において、制御部１０２は、第１の給電処理を開始する。第１の給電処理は、電子機器１５０の通信部１５２と給電装置１００の通信部１０４とが通信を行うための電力を電子機器１５０に供給する処理である。
【００２６】
給電装置１００は、給電装置１００が電子機器１５０にバッテリ１８０の充電に必要な電力を供給する前に、電子機器１５０が給電装置１００の給電の対象となる装置であるか否かを判定する。電子機器１５０が給電装置１００の給電の対象となる装置である場合、給電装置１００は、電子機器１５０にバッテリ１８０の充電のための電力を供給する。しかし、電子機器１５０が給電装置１００の給電の対象となる装置でない場合、給電装置１００は、電子機器１５０にバッテリ１８０の充電のための電力を供給しない。
【００２７】
電子機器１５０が給電装置１００の給電の対象となる装置であるか否かの判定を行うために給電装置１００は、電子機器１５０から電子機器１５０の識別情報及び電子機器１５０の能力情報を取得できるか否かを判定する。
【００２８】
電子機器１５０から電子機器１５０の識別情報及び電子機器１５０の能力情報を取得するために、給電装置１００は、通信部１０４によって、電子機器１５０の識別情報及び電子機器１５０の能力情報を取得するためのデータを電子機器１５０に送信する。なお、電子機器１５０の識別情報及び電子機器１５０の能力情報を取得するためのデータを以下「所定のデータ」と呼ぶ。電子機器１５０は、所定のデータを正しく給電装置１００から受信できた場合、不図示のメモリから読み出した電子機器１５０の識別情報及び電子機器１５０の能力情報を含む応答データを給電装置１００に送信する。
【００２９】
電子機器１５０は、バッテリ１８０から供給される電力によって給電装置１００と通信を行う。このため、バッテリ１８０が給電装置１００と通信を行うための電力を電子機器１５０に供給できない場合、電子機器１５０は、給電装置１００から受信した所定のデータに対応する応答データを給電装置１００に送信することができない。この場合、給電装置１００は、所定のデータに対応する応答データを電子機器１５０から受信するまで、電子機器１５０を給電装置１００の給電の対象となる装置であると判定しない。そのため、給電装置１００から電子機器１５０には、バッテリ１８０の充電のための電力は供給されない。このような事態を防ぐため、給電装置１００は、給電装置１００と通信を行うための電力を電子機器１５０に供給するための処理として第１の給電処理を行う。
【００３０】
給電装置１００は、第１の給電処理として、給電と停止とを繰り返す間欠給電や、弱い送電電力で給電を行い、給電装置１００と通信を行うための電力を電子機器１５０に供給するようにする。この場合、制御部１０２は、直流電圧の目標値を設定し、交流電圧から変換される直流電圧が目標値の直流電圧になるようにＡＣ−ＤＣコンバータ１０１を制御する。この場合、１次コイル１０３には、ＡＣ−ＤＣコンバータ１０１によって交流電圧から変換された直流電圧に応じて磁束が発生し、電流が流れる。さらに、制御部１０２は、１次コイル１０３に流れる電流を変化させることによって、１次コイル１０３に発生する磁束を変化させる。
【００３１】
第１の給電処理において、給電装置１００から電子機器１５０に供給される電力は、後述する第２の給電処理において、給電装置１００から電子機器１５０に供給される電力に対して、微小な電力となる。Ｓ２０１において、制御部１０２によって第１の給電処理が開始された場合、本フローチャートはＳ２０１からＳ２０２に進む。
【００３２】
Ｓ２０２において、制御部１０２は、所定のデータを電子機器１５０に送信するように通信部１０４を制御する。
なお、所定のデータ及び所定のデータに対応する応答データは、給電装置１００の通信部１０４及び電子機器１５０の通信部１５２の通信方式に対応するデータである。
所定のデータが電子機器１５０に送信された場合、本フローチャートはＳ２０２からＳ２０３に進む。
【００３３】
給電装置１００から通信を行うための電力が電子機器１５０の通信部１５２に供給されている場合、通信部１５２は、通信部１０４から電子機器１５０に送信された所定のデータに対する応答データを給電装置１００に送信する。そこで、Ｓ２０３において、制御部１０２は、通信部１０４が通信部１５２から送信された応答データを受信したか否かに応じて、給電装置１００の給電の対象となる装置であるか否か判定する。
【００３４】
制御部１０２は、通信部１０４が電子機器１５０に所定のデータを送信してから所定の時間が経過しても、電子機器１５０から応答データを受信しなかった場合、給電装置１００の給電の対象となる装置でないと判定する（Ｓ２０３でＮＯ）。この場合（Ｓ２０３でＮＯ）、本フローチャートは、終了する。制御部１０２は、通信部１０４が電子機器１５０に所定のデータを送信してから所定の時間が経過する前に、電子機器１５０から応答データを受信した場合、制御部１０２は、電子機器１５０が給電装置１００の給電の対象となる装置であると判定する。この場合（Ｓ２０３でＹＥＳ）、本フローチャートは、Ｓ２０３からＳ２０４に進む。
【００３５】
Ｓ２０４において、制御部１０２は、第１の給電処理を停止し、第２の給電処理を開始する。第２の給電処理は、Ｓ２０１の処理において給電装置１００が電子機器１５０に供給する電力より大きい電力をバッテリ１８０の充電のために電子機器１５０に供給する処理である。この場合、制御部１０２は、交流電圧から変換される直流電圧の目標値を、第１の給電処理において設定した直流電圧の目標値よりも高い目標値に設定する。さらに、制御部１０２は、交流電圧から変換される直流電圧が新たに設定された目標値の直流電圧になるようにＡＣ−ＤＣコンバータ１０１を制御する。
【００３６】
給電装置１００において、第２の給電処理が開始された場合、電子機器１５０は、給電装置１００で第１の給電が開始された場合に供給される電力よりも大きい電力を受電することができる。なお、このとき、電子機器１５０は、給電装置１００から供給される電力によって、バッテリ１８０の充電を開始することができる。Ｓ２０４において、制御部１０２によって第２の給電処理が開始された場合、本フローチャートはＳ２０４からＳ２０５に進む。
【００３７】
Ｓ２０５において、制御部１０２は、Ｓ２０２と同様に所定のデータを電子機器１５０に送信するように通信部１０４を制御する。所定のデータが電子機器１５０に送信された場合、本フローチャートはＳ２０５からＳ２０６に進む。Ｓ２０５の処理は、電子機器１５０が所定の範囲内に存在するか否かを判定するために制御部１０２によって行われる処理である。
【００３８】
Ｓ２０６において、制御部１０２は、Ｓ２０３と同様に通信部１０４が通信部１５２から送信された応答データを受信したか否かを判定する。制御部１０２は、通信部１０４が電子機器１５０に所定のデータを送信してから所定の時間が経過する前に、電子機器１５０から応答データを受信した場合、電子機器１５０が所定の範囲内に存在すると判定する（Ｓ２０６でＹＥＳ）。この場合（Ｓ２０６でＹＥＳ）、本フローチャートは、Ｓ２０６からＳ２０５に戻る。
【００３９】
制御部１０２は、通信部１０４が電子機器１５０に所定のデータを送信してから所定の時間が経過しても、電子機器１５０から応答データを受信しなかった場合、給電装置１００は、電子機器１５０が所定の範囲内に存在しないと判定する（Ｓ２０６でＮＯ）。この場合（Ｓ２０６でＮＯ）、本フローチャートは、Ｓ２０６からＳ２０１に戻る。再びＳ２０１において、制御部１０２は、第２の給電処理を停止し、第１の給電処理を開始する。この場合、制御部１０２は、交流電圧から変換される直流電圧の目標値を、第２の給電処理において設定した直流電圧の目標値よりも低い目標値に設定する。さらに、制御部１０２は、交流電圧から変換される直流電圧が新たに設定された目標値の直流電圧になるようにＡＣ−ＤＣコンバータ１０１を制御する。
【００４０】
このことにより、給電装置１００と電子機器１５０との距離が給電装置１００から送信される電力を受信できない範囲に存在する場合、給電装置１００は、電子機器１５０に対して余分な電力を送信しないようにすることができる。
【００４１】
なお、図２に示される給電処理は、給電装置１００の電源プラグが不図示の交流電源から外され、ＡＣ−ＤＣコンバータ１０１に交流電流が供給されなくなるまで、制御部１０２によって行われる。また、図２に示される給電処理は、給電装置１００に対して、ユーザにより給電を停止する操作が行われるまで、制御部１０２によって行われる。
【００４２】
このように、制御部１０２は、一定の周期で認証データを電子機器１５０に対して送信するように通信部１０４を制御する。制御部１０２が第１の給電処理を行っている場合、給電装置１００が送信した所定のデータに対する応答データを電子機器１５０から受信したとき、制御部１０２は、第１の給電処理を停止させ、第２の給電処理を開始するようにする。また、制御部１０２が第２の給電処理を行っている場合、給電装置１００が送信した所定のデータに対する応答データを電子機器１５０から受信しないとき、制御部１０２は、第２の給電処理を停止させ、第１の給電処理を開始するようにする。さらに、制御部１０２が第１の給電処理を行っている場合、給電装置１００が送信した所定のデータに対する応答データを電子機器１５０から受信しないとき、制御部１０２は、第２の給電処理を行わないようにする。
【００４３】
なお、給電装置１００は、複数の電子機器が給電装置１００から送信される電力を受信できる所定の範囲内に存在し、複数の電子機器に対して給電を行う場合も同様の処理を行う。
【００４４】
給電装置１００が複数の電子機器に対して給電を行う場合、所定のデータを複数の電子機器に個別に送信する。給電装置１００が第１の給電処理を行っている場合に、複数の電子機器全てから応答データを受信した場合、給電装置１００は、第１の給電処理を停止し、第２の給電処理を開始するようにする。また、給電装置１００は、複数の電子機器に対して第１の給電処理を行っている場合、複数の電子機器全てから受信しなかった場合、第１の給電処理及び第２の給電処理を行わないようにしても良い。なお、給電装置１００は、複数の電子機器に対して第２の給電処理を行っている場合、一つの電子機器から応答データを受信しなかった場合でも、他の電子機器から応答データを受信した場合であれば、第２の給電処理を行っていても良いものとする。
【００４５】
図３は、実施形態１に係る電子機器１５０によって行われる受電処理の一例を示すフローチャートである。なお、図３に示す受電処理は、制御部１５４が電子機器１５０の不図示のメモリに記録されているプログラムを実行することによって行われる。なお、実施形態１において、図３の受電処理が制御部１５４によって行われる場合、給電装置１００と電子機器１５０との距離は、電子機器１５０が給電装置１００から供給される電力を受信できる所定の範囲内に存在するものとする。なお、電子機器１５０には、バッテリ１８０が装着されているものとする。
【００４６】
電子機器１５０がバッテリ１８０の充電を行うようにユーザによって操作された場合であって、制御部１５４は、２次コイル１５１から通信を行うための電力が整流回路１５３を介して制御部１５４に供給されたか否かを判定する。制御部１５４は、２次コイル１５１から通信を行うための電力が整流回路１５３を介して制御部１５４に供給された場合、Ｓ３０１において、制御部１５４は、第１の受電処理を開始する。
【００４７】
第１の受電処理は、２次コイル１５１から整流回路１５３を介して供給された電力を電子機器１５０の通信部１５２と給電装置１００の通信部１０４とが通信を行えるようにするために通信部１５２に供給するための処理である。制御部１５４から電力を供給された通信部１５２は、電子機器１５０から送信される所定のデータを受信することができ、所定のデータに対応する応答データを給電装置１００に送信することもできる。第１の受電処理が開始された場合、本フローチャートは、Ｓ３０１からＳ３０２に進む。
【００４８】
給電装置１００によってＳ２０２の処理が行われている場合、通信部１０４は所定のデータを電子機器１５０に送信する。そこで、Ｓ３０２において、制御部１５４は、通信部１５２が所定のデータを受信したか否かを判定する。制御部１５４によって、通信部１５２が所定のデータを受信しなかったと判定された場合（Ｓ３０２でＮＯ）、本フローチャートはＳ３０２からＳ３０１に戻る。制御部１５４によって、通信部１５２が所定のデータを受信したと判定された場合（Ｓ３０２でＹＥＳ）、本フローチャートはＳ３０２からＳ３０３に進む。
【００４９】
Ｓ３０３において、制御部１５４は、不図示のメモリに記録されている電子機器１５０の識別情報及び能力情報を含む応答データを生成し、生成した応答データを給電装置１００に送信するように通信部１５２を制御する。この場合、本フローチャートはＳ３０３からＳ３０４に進む。
【００５０】
給電装置１００は、通信部１５２から送信された応答データを通信部１０４が受信した場合、電子機器１５０が給電の対象となる装置であると判定する。この場合、給電装置１００は、第２の給電処理を開始する。
そこで、Ｓ３０４において、制御部１５４は、第１の受電処理を停止させ、第２の受電処理を開始する。なお、制御部１５４は、整流回路１５３から供給された電力が所定値以上である場合に、給電装置１００で第２の給電処理が行われていると判定する。この場合、制御部１５４は、第１の受電処理を停止させ、第２の受電処理を開始する。
また、制御部１５４は、整流回路１５３から供給された電力が所定値よりも小さい場合に給電装置１００で第２の給電処理が行われていないと判定し、第１の受電処理を継続するようにする。
【００５１】
第２の受電処理は、２次コイル１５１から整流回路１５３を介して供給された電力を通信部１５２、充電部１５５及びバッテリ１８０に供給するための処理である。２次コイル１５１から整流回路１５３を介して電力が供給された充電部１５５は、制御部１５４からバッテリ１８０に供給された電力によって、バッテリ１８０を充電するように制御することができ、バッテリ１８０の残容量を検出することもできる。第２の受電処理が開始された場合、本フローチャートは、Ｓ３０４からＳ３０５に進む。
【００５２】
Ｓ３０５において、制御部１５４は、制御部１５４から供給された電力によってバッテリ１８０の充電を開始するように充電部１５５を制御する。この場合、充電部１５５は、２次コイル１５１から整流回路１５３を介して供給された電力によって、バッテリ１８０に対して定電流制御を行った後、バッテリ１８０に対して定電圧制御を行うようにバッテリ１８０の充電を制御する。充電部１５５は、バッテリ１８０に流れる電流である充電電流と、バッテリ１８０に印加される電圧である充電電圧とを検出する。また、充電部１５５は、バッテリ１８０の残容量を検出する。定電流制御を行う場合、充電部１５５は、バッテリ１８０の充電電流が所定の電流になるように制御する。その後、バッテリ１８０の充電電圧が所定の電圧に達した場合、充電部１５５は定電圧制御を行う。定電圧制御を行う場合、充電部１５５は、バッテリ１８０の充電電圧が所定の電圧になるように制御する。その後、バッテリ１８０の充電電流がほぼ０に近い値よりも低下した場合、充電部１５５は、バッテリ１８０が満充電になったことを示す情報を制御部１５４に供給する。充電部１５５がバッテリ１８０の充電を開始した場合、本フローチャートは、Ｓ３０５からＳ３０６に進む。
【００５３】
Ｓ３０６において、制御部１５４は、バッテリ１８０の充電状態を検出する。この場合、制御部１５４は、充電部１５５にバッテリ１８０の残容量を問い合わせる。制御部１５４は、充電部１５５から充電部１５５で検出されたバッテリ１８０の残容量に応じて、どれくらいバッテリ１８０が充電されているかを示すバッテリ１８０の充電状態を判定する。
【００５４】
バッテリ１８０の充電状態を判定する方法としては、バッテリ１８０の残容量以外にもバッテリ１８０の充電電圧及び充電電流によって、どれくらいバッテリ１８０が充電されているかを判定してもよい。制御部１５４は、バッテリ１８０の充電状態を判定した場合、不図示のメモリ内にバッテリ１８０の充電状態を示す情報を格納する。制御部１５４によって、バッテリ１８０の充電状態が判定された場合、本フローチャートはＳ３０６からＳ３０７に進む。
【００５５】
Ｓ３０７において、制御部１５４は、バッテリ１８０が満充電であるか否かを判定する。なお、バッテリ１８０が満充電であるか否かは、充電部１５５からバッテリ１８０が満充電になったことを示す情報が制御部１５４に供給されたか否かに応じて判定してもよい。また、バッテリ１８０が満充電であるか否かを、不図示のメモリ内に格納されているバッテリ１８０の充電状態を示す情報から制御部１５４が判定してもよい。
【００５６】
また、バッテリ１８０が満充電であるか否かを、充電部１５５によって検出される充電電圧及び充電電流が所定の条件を満たしているか否かに応じて、制御部１５４が判定してもよい。また、充電部１５５によって検出されるバッテリ１８０の残容量が所定の容量に達している場合に、制御部１５４は、バッテリ１８０が満充電であると判定してもよい。
【００５７】
Ｓ３０７の処理による制御部１５４の判定の結果、バッテリ１８０が満充電であると制御部１５４によって判定された場合（Ｓ３０７でＹＥＳ）、さらに継続して、充電部１５５は、バッテリ１８０の充電を行わない。この場合（Ｓ３０７でＹＥＳ）、本フローチャートはＳ３０７からＳ３０８へ進む。なお、バッテリ１８０が満充電になったと判定した制御部１５４は、バッテリ１８０の充電を停止するように充電部１５５を制御する。
【００５８】
Ｓ３０７の処理による制御部１５４の判定の結果、バッテリ１８０が満充電でないと制御部１５４によって判定された場合（Ｓ３０７でＮＯ）、制御部１５４は、継続してバッテリ１８０を充電するように充電部１５５を制御する。この場合（Ｓ３０７でＮＯ）、本フローチャートはＳ３０７からＳ３０２に戻る。
【００５９】
Ｓ３０８において、Ｓ３０２と同様に制御部１５４は、通信部１５２が所定のデータを受信したか否かを判定する。制御部１５４によって、通信部１５２が所定のデータを受信しなかったと判定された場合（Ｓ３０８でＮＯ）、本フローチャートはＳ３０８からＳ３１０に進む。制御部１５４によって、通信部１５２が所定のデータを受信したと判定された場合（Ｓ３０８でＹＥＳ）、本フローチャートはＳ３０８からＳ３０９に進む。
【００６０】
Ｓ３０９において、制御部１５４は、通信部１５２が通信部１０４から受信した所定のデータに対する応答データを生成せず、通信部１５２が通信部１０４から受信した所定のデータに対する応答データを通信部１０４に送信しないように通信部１５２を制御する。このことによって、制御部１５４は、電子機器１５０が給電装置１００の給電の対象である装置でないと給電装置１００に判定させ、電子機器１５０が所定の範囲内に存在しないと給電装置１００に判定させる。この場合に、給電装置１００によってＳ２０１及びＳ２０２の処理が行われている場合、制御部１０２は、電子機器１５０が給電の対象である装置でない（Ｓ２０３でＮＯ）と判定し、第２の給電処理を行わないようにする。さらに、給電装置１００によってＳ２０４及びＳ２０５の処理が行われている場合、制御部１０２は、電子機器１５０が所定の範囲内に存在しない（Ｓ２０６でＮＯ）と判定し、第２の給電処理を停止させ、第１の給電処理を行うようにさせる。
【００６１】
制御部１５４が所定のデータに対する応答データを送信しないように通信部１５２を制御した場合、本フローチャートはＳ３０９からＳ３１０に進む。
【００６２】
Ｓ３１０において、制御部１５４は、Ｓ３０１と同様に、第２の受電処理を停止させ、第１の受電処理を開始する。このことによって、制御部１５４は、所定のデータに対する応答データの送信を停止した状態であるが、通信部１５２によって所定のデータを受信できるようにする。このため、バッテリ１８０の充電を行わないが、通信部１５２は、給電装置１００から送信されるデータの受信を行うことができる。この場合、本フローチャートはＳ３１０からＳ３１１に進む。
【００６３】
Ｓ３１１において、制御部１５４は、Ｓ３０７と同様に、バッテリ１８０が満充電であるか否かを判定する。バッテリ１８０が満充電でないと制御部１５４によって判定された場合（Ｓ３１１でＮＯ）、本フローチャートはＳ３１１からＳ３０２に戻る。バッテリ１８０が満充電であると制御部１５４によって判定された場合（Ｓ３１１でＹＥＳ）、本フローチャートはＳ３１１からＳ３０８に戻る。
【００６４】
このように、制御部１５４は、バッテリ１８０が満充電である場合（Ｓ３０７でＹＥＳ）に、通信部１０４から送信された所定のデータを通信部１５２が受信したとしても、所定のデータに対する応答データを通信部１０４に送信しないようにすることができる。また、制御部１５４は、バッテリ１８０が満充電でない場合（Ｓ３０７でＮＯまたはＳ３１１でＮＯ）に、通信部１０４から送信された所定のデータを通信部１５２が受信したとき、所定のデータに対する応答データを通信部１０４に送信する。このことによって、給電装置１００からバッテリ１８０を充電するための電力を受電することができる。
【００６５】
このことにより、実施形態１に係る電子機器１５０は、電子機器１５０に接続されたバッテリ１８０が満充電となった場合、給電装置１００において消費される電子機器１５０へ供給するための余分な電力を減少させることができる。
【００６６】
また、電子機器１５０は、給電装置１００から不要な電力を供給されないようにすることができるので、バッテリ１８０を過充電しないようにすることができる。また、バッテリ１８０が満充電である場合、電子機器１５０は、給電装置１００に応答データを送信しないことによって、給電装置１００にバッテリ１８０の充電が不要であることを知らせることができる。
【００６７】
なお、バッテリ１８０が満充電である場合、電子機器１５０は、通信部１５２が受信した所定のデータに対する応答データを給電装置１００に送信しないようにした。しかし、例えば、バッテリ１８０が満充電である場合、電子機器１５０は、給電装置１００に第２の給電処理を行わせないようにするために、通信部１５２が受信した所定のデータに対する応答データとして正しくないデータを給電装置１００に送信してもよい。
【００６８】
また、バッテリ１８０が満充電である場合以外にも、電子機器１５０は、通信部１５２が受信した所定のデータに対する応答データを給電装置１００に送信しないようにしてもよい。例えば、バッテリ１８０の充電状態に応じて、電子機器１５０は、通信部１５２が受信した所定のデータに対する応答データを給電装置１００に送信しないようにしてもよい。この場合、図３のＳ３０７において、制御部１５４は、充電部１５５がバッテリ１８０の充電を行っているか否かを判定するようにする。例えば、充電部１５５がバッテリ１８０の充電を行っている場合、Ｓ３０７からＳ３０２に戻り、給電装置１００からの所定のデータに対して応答データを送信した後、第２の受電処理を行うようにする。また、充電部１５５がバッテリ１８０の充電を行っていない場合、Ｓ３０７からＳ３０８に進み、給電装置１００からの所定のデータに対して応答データを送信しないようにし、第１の受電処理を行うようにする。また、図３のＳ３１１においても、同様に制御部１５４は、充電部１５５がバッテリ１８０の充電を行っているか否かを判定するようにしてもよい。この場合、例えば、充電部１５５がバッテリ１８０の充電を行っている場合、Ｓ３１１からＳ３０２に戻り、給電装置１００からの所定のデータに対して応答データを送信した後、第２の受電処理を行うようにする。また、充電部１５５がバッテリ１８０の充電を行っていない場合、Ｓ３１１からＳ３０８に戻り、給電装置１００からの所定のデータに対して応答データを送信しないようにし、第１の受電処理を行うようにする。
【００６９】
また、電子機器１５０がバッテリ１８０を充電している場合に、バッテリ１８０に何らかのエラーが発生したことを制御部１５４が検出した場合に、通信部１５２が受信した所定のデータに対する応答データを給電装置１００に送信しないようにしてもよい。この場合、図３のＳ３０７やＳ３１１において、制御部１５４は、バッテリ１８０にエラーが発生したか否かを判定するようにする。なお、バッテリ１８０に発生するエラーとは、バッテリ１８０の温度が高温になった場合に発生するエラーや、充電中にバッテリ１８０が電子機器１５０から取り外された場合に発生するエラー等である。
【００７０】
また、電子機器１５０が充電を行うモードと、充電を行うことができないモードとへ切り替え可能である場合、バッテリ１８０の充電中に、充電を行うことができないモードに切り替えられる場合がある。電子機器１５０がバッテリ１８０を充電している場合に、電子機器１５０が充電を行うことができないモードに切り替えられたとき、通信部１５２が受信した所定のデータに対する応答データを給電装置１００に送信しないようにしてもよい。この場合も、モードが切り替わる場合に制御部１５４が電子機器１５０の動作モードの変更を検知し、バッテリ１８０が満充電でなくてもＳ３０７からステップＳ３０８に進むようにしてもよい。
【００７１】
この場合、図３のＳ３０７やＳ３１１において、制御部１５４は、電子機器１５０の動作モードが充電を行わないモードに変更されたか否かを判定するようにする。
【００７２】
また、不図示のメモリには、所定のデータを電子機器１５０に送信した給電装置１００が応答データを受信していないことにより、第１の給電処理及び第２の給電処理を停止するまでにかかる時間を示す情報が記録されていても良い。この場合、制御部１５４は、給電装置１００が応答データを受信していないことにより、第１の給電処理及び第２の給電処理を停止するまでにかかる時間が経過するまでの間だけ、Ｓ３０８及びＳ３０９の処理を行うようにしてもよい。
【００７３】
（その他の実施形態）
本発明に係る電子機器１５０は、実施例１で説明した電子機器１５０に限定されるものではない。また、本発明に係る給電装置１００は、実施例１で説明した給電装置１００に限定されるものではない。例えば、本発明に係る給電装置１００は、複数の装置から構成されるシステムにより実現することも可能である。また、本発明に係る電子機器１５０は、複数の装置から構成されるシステムにより実現することも可能である。
また、実施例１で説明した様々な処理及び機能は、コンピュータプログラムにより実現することも可能である。この場合、本発明に係るコンピュータプログラムは、コンピュータ（ＣＰＵ等を含む）で実行可能であり、実施例１で説明した様々な機能を実現することになる。
本発明に係るコンピュータプログラムは、コンピュータ上で稼動しているＯＳ（Ｏｐｅｒａｔｉｎｇ  Ｓｙｓｔｅｍ）などを利用して、実施例１で説明した様々な処理及び機能を実現してもよいことは言うまでもない。
本発明に係るコンピュータプログラムは、コンピュータ読取可能な記録媒体から読み出され、コンピュータで実行されることになる。コンピュータ読取可能な記録媒体には、ハードディスク装置、光ディスク、ＣＤ−ＲＯＭ、ＣＤ−Ｒ、メモリカード、ＲＯＭ等を用いることができる。また、本発明に係るコンピュータプログラムは、通信インターフェースを介して外部装置からコンピュータに提供され、当該コンピュータで実行されるようにしてもよい。
【符号の説明】
【００７４】
１００  給電装置
１０１  ＡＣ−ＤＣコンバータ
１０２  制御部
１０３  １次コイル
１０４  通信部
１５０  電子機器
１５１  ２次コイル
１５２  通信部
１５３  整流回路
１５４  制御部
１５５  充電部
１８０  バッテリ
【図１】
2012070553.tif 000003
【図２】
2012070553.tif 000004
【図３】
2012070553.tif 000005